(57)【要約】【課題】ユーザーが確実に撮像装置の撮影設定項目の変更を知ることができるようにする。【解決手段】ＬＣＤパネル３０８には撮像装置で撮像されたライブビュー画像を表示するための第１の領域と撮像装置の設定情報を表示する第２の領域とを含む制御画面が表示される。制御画面を表示している際に、撮像装置の設定変更情報を受信した場合、ライブビュー画像を表示する設定とされていると、ＣＰＵ３１１は第１の領域にライブビュー画像を継続して表示し、第１の領域に設定変更情報を示す表示を行わず、設定変更情報を受信した際にライブビュー画像を表示しない設定とされている場合には第１の領域にライブビュー画像を表示することなく、第１の領域に受信した設定変更情報を示す表示を行う。【選択図】図３
2018182563.tif 000002
【特許請求の範囲】
【請求項１】
撮像装置と通信を行う通信手段と、
前記通信手段で受信し前記撮像装置で撮像されたライブビュー画像を表示するための第１の領域と、前記撮像装置の設定情報を表示する第２の領域とを含む制御画面に、前記ライブビュー画像を表示するか否かを設定する設定手段と、
前記制御画面を表示している際に前記通信手段で前記撮像装置の設定変更情報を受信した際に、前記設定手段で前記ライブビュー画像を表示する設定とされている場合には前記第１の領域にライブビュー画像を継続して表示するとともに、前記第１の領域に前記受信した設定変更情報を示す表示を行わず、前記通信手段で前記撮像装置の設定変更情報を受信した際に、前記設定手段で前記ライブビュー画像を表示しない設定とされている場合には前記第１の領域にライブビュー画像を表示することなく、前記第１の領域に前記受信した設定変更情報を示す表示を行うように制御する表示制御手段と、
を有することを特徴とする表示制御装置。
【請求項２】
前記表示制御手段は、前記制御画面を表示している際に前記通信手段で前記撮像装置の設定変更情報を受信し、かつ前記設定手段で前記ライブビュー画像を表示する設定とされている場合には、前記第２の領域に表示されている設定情報のうち前記受信した設定変更情報に対応する設定情報を強調して表示するように制御することを特徴とする請求項１に記載の表示制御装置。
【請求項３】
前記表示制御手段は、前記設定手段で前記ライブビュー画像を表示しない設定とされている場合には、前記ライブビュー画像を受信しないように前記通信手段を制御することを特徴とする請求項１又は２に記載の表示制御装置。
【請求項４】
前記設定情報は、ホワイトバランス、露出、およびフォーカスに関する設定の少なくとも１つを含むことを特徴とする請求項１乃至３のいずれか１項に記載の表示制御装置。
【請求項５】
前記表示制御手段は、前記設定手段で前記ライブビュー画像を表示する設定とされているか否かに拘わらず、前記制御画面における前記第１の領域および前記第２の領域のレイアウトを変更しないことを特徴とする請求項１乃至４のいずれか１項に記載の表示制御装置。
【請求項６】
前記撮像装置には表示装置が接続されており、
前記表示装置は前記設定変更情報に対応する設定情報を強調して表示することを特徴とする請求項１乃至５のいずれか１項に記載の表示制御装置。
【請求項７】
撮像装置で撮像されたライブビュー画像を表示する第１の領域と前記撮像装置の設定情報を表示する第２の領域とを含む制御画面を表示する表示部における表示を制御する表示制御装置の制御方法であって、
前記撮像装置と通信を行う通信ステップと、
前記通信ステップで受信した前記ライブビュー画像を前記第１の領域に表示するか否かを設定する設定ステップと、
前記制御画面を表示している際に前記通信ステップで前記撮像装置の設定変更情報を受信した際に、前記設定ステップで前記ライブビュー画像を表示する設定とされている場合には前記第１の領域にライブビュー画像を継続して表示するとともに、前記第１の領域に前記受信した設定変更情報を示す表示を行わず、前記通信ステップで前記撮像装置の設定変更情報を受信した際に、前記設定ステップで前記ライブビュー画像を表示しない設定とされている場合には前記第１の領域にライブビュー画像を表示することなく、前記第１の領域に前記受信した設定変更情報を示す表示を行うように制御する表示制御ステップと、
を有することを特徴とする制御方法。
【請求項８】
コンピュータを、請求項１乃至７のいずれか１項に記載された表示制御装置の各手段として機能させるためのプログラム。
【請求項９】
コンピュータを、請求項１乃至７のいずれか１項に記載された表示制御装置の各手段として機能させるためのプログラムを格納したコンピュータが読み取り可能な記憶媒体。
【発明の詳細な説明】
【技術分野】
【０００１】
本発明は、表示制御装置、その制御方法、およびプログラム、並びに記憶媒体に関し、特に、撮像装置から受信した撮影設定項目の変更を強調して表示する表示制御装置に関する。
【背景技術】
【０００２】
一般に、ビデオカメラなどの撮像装置を用いて撮影を行う際には、露出、ホワイトバランス、およびフォーカスなどの撮影設定項目を確認して撮影を行う。また、撮影の際には、ビデオカメラをユーザーが直接操作して撮影を行うか又はＷｉ−Ｆｉ（Ｗｉｒｅｌｅｓｓ  Ｆｉｄｅｌｉｔｙ）などの無線通信などによってビデオカメラをリモートコントロールして撮影を行う。
【０００３】
特に、映像制作の現場では、ビデオカメラを業務用モニタにＳＤＩ（Ｓｅｒｉａｌ  Ｄｉｇｉｔａｌ  Ｉｎｔｅｒｆａｃｅ）ケーブルを介して接続する。そして、カメラマンがビデオカメラを操作する。撮影監督はビデオカメラから離れた位置で業務用モニタに出力される映像信号を確認しつつ、スマートフォン又はタブレット端末などの端末機器でビデオカメラの撮影設定項目をリモートコントロールする。
【０００４】
リモートコントロールにおいては、ビデオカメラをＨＴＴＰ（ＨｙｐｅｒＴｅｘｔ  Ｔｒａｎｓｆｅｒ  Ｐｒｏｔｏｃｏｌ）サーバーとして動作させる。さらに、ビデオカメラをスマートフォン又はタブレット端末などの端末機器と無線接続して端末機器をクライアントとして動作させる。そして、ＨＴＴＰによる通信を介して、クライアントである端末機器に備えられたブラウザーなどのアプリケーションからサーバーに制御コマンドを送信してサーバーをリモートコントロールする。ブラウザー上において被写体に最適な撮影設定項目をユーザー操作にて設定し、制御コマンドをビデオカメラに送信することによって被写体に応じた最適な撮影設定項目で撮影が行われる。
【０００５】
ところで、上記のようなリモートコントロールによって撮影を行う際、ビデオカメラの側で撮影設定項目を変更することがある。この場合、ビデオカメラから端末機器に撮影設定項目の変更を、端末機器における表示画面の座標情報とともに送信するようにしたものがある（特許文献１）。そして、端末機器では撮影設定項目の変更内容を強調表示して撮影設定項目が変更された旨を知らせる。さらには、リモートコントロールを行うための端末機器において撮影設定項目が変更されると表示機器にその変更を強調表示するようにしたものがある（特許文献２参照）。
【先行技術文献】
【特許文献】
【０００６】
【特許文献１】特開２００５−１３６５１９号公報
【特許文献２】特開２００９−１７７３６５号公報
【発明の概要】
【発明が解決しようとする課題】
【０００７】
上述のように、上述の特許文献１などにおいては、ビデオカメラにおいて撮影設定項目を変更した際、その変更を端末機器に通知して端末機器で強調表示する。ところが、端末機器においては、撮影設定項目を表示する表示領域に変更を強調表示しているので、端末機器を操作するユーザーが撮影設定項目の変更に気づかないことがある。
【０００８】
特に、撮影現場においてカメラマンによるビデオカメラの誤操作又は外乱によるビデオカメラの誤作動が生じると、撮影監督が予期せぬ撮影設定項目に変更されたことに気づかないことがある。そして、撮影設定項目が変更されたにも拘らず、端末機器のリモートコントロールによる撮影が開始されてしまうことがある。その結果、誤った撮影設定項目で撮影が行われて撮影機会の消失および撮影時間に無駄が生じてしまう。
【０００９】
従って、本発明の目的は、ユーザーが確実に撮像装置の撮影設定項目の変更を知ることができる表示制御装置、その制御方法、およびプログラム、並びに記憶媒体を提供することにある。
【課題を解決するための手段】
【００１０】
上記の目的を達成するため、本発明による表示制御装置は、撮像装置と通信を行う通信手段と、前記通信手段で受信し前記撮像装置で撮像されたライブビュー画像を表示するための第１の領域と、前記撮像装置の設定情報を表示する第２の領域とを含む制御画面に、前記ライブビュー画像を表示するか否かを設定する設定手段と、前記制御画面を表示している際に前記通信手段で前記撮像装置の設定変更情報を受信した際に、前記設定手段で前記ライブビュー画像を表示する設定とされている場合には前記第１の領域にライブビュー画像を継続して表示するとともに、前記第１の領域に前記受信した設定変更情報を示す表示を行わず、前記通信手段で前記撮像装置の設定変更情報を受信した際に、前記設定手段で前記ライブビュー画像を表示しない設定とされている場合には前記第１の領域にライブビュー画像を表示することなく、前記第１の領域に前記受信した設定変更情報を示す表示を行うように制御する表示制御手段と、を有することを特徴とする。
【発明の効果】
【００１１】
本発明によれば、ユーザーは確実に撮像装置の設定項目の変更を知ることができる。
【図面の簡単な説明】
【００１２】
【図１】本発明の第１の実施形態による表示制御装置が備えられた通信装置の一例を説明するための図である。
【図２】図１に示すビデオカメラの構成についてその一例を示すブロック図である。
【図３】図１に示す電子機器の構成についてその一例を示すブロック図である。
【図４】図３に示す電子機器で行われる処理の一例を示すフローチャートである。
【図５】図３に示す電子機器においてＬＣＤパネルに表示される画面の一例を説明するための図である。
【図６】本発明の第２の実施形態においてビデオカメラに接続されたモニタの表示画面についてその一例を説明するための図である。
【図７】本発明の第２の実施形態においてビデオカメラで行われる処理の一例を示すフローチャートである。
【発明を実施するための形態】
【００１３】
以下に、本発明の実施の形態による表示制御装置の一例について図面を参照して説明する。
【００１４】
［第１の実施形態］
図１は、本発明の第１の実施形態による表示制御装置が備えられた通信装置の一例を説明するための図である。
【００１５】
図示の通信装置は、例えば、タブレット端末などの電子機器１０１であり、当該電子機器１０１は後述する表示制御装置が備えられている。電子機器１１はサーバーとして動作するビデオカメラ（撮像装置）１００に無線回線（例えば、Ｗｉ−Ｆｉ）１０２によって接続されている。そして、ビデオカメラ１００にはＳＤＩケーブル１０３を介してモニタ１０４が接続される。
【００１６】
図２は、図１に示すビデオカメラの構成についてその一例を示すブロック図である。
【００１７】
ビデオカメラ１００は、レンズユニット２００、撮像素子（例えば、ＣＭＯＳセンサ）２０１、カメラ信号処理部２０２、記録媒体２０３、電源２０４、操作部２０５、入力Ｉ／Ｆ２０６、ＲＯＭ２０７、およびＲＡＭ２０８を備えている。さらに、ビデオカメラ１００は、ＣＯＤＥＣ２０９、出力Ｉ／Ｆ２１０、ＬＣＤパネル２１１、ＣＰＵ２１２、通信制御部２１３、無線モジュール２１４、アンテナ２１５、および外部出力端子２１６を有している。そして、図示のようにこれらブロックはデータバス２１７を介して相互に接続されている。
【００１８】
レンズユニット２００は、フォーカス機構および絞り機構などを含む撮影レンズ群であって光学像を撮像素子２０１に結像する。撮像素子２０１にはＡ／Ｄ変換器が備えられており、撮像素子２０１は光学像を応じたアナログ信号を生成し、当該アナログ信号をデジタル信号（カメラ信号）に変換する。なお、撮像素子２０１として、ＣＭＯＳセンサの代わりに、例えば、ＣＣＤを用いるようにしてもよい。
【００１９】
カメラ信号処理部２０２は、ＣＰＵ２１２の制御下で、カメラ信号に対して画素補間処理および縮小処理などのリサイズ処理を行うとともに、色変換処理および各種補正処理などを行って画像データを出力する。そして、当該画像データは、後述するＣＯＤＥＣ２０９によって所定のビットレートおよびフォーマット形式に圧縮符号化される。また、ＣＯＤＥＣ２０９は圧縮符号化された画像データを復号化する。
【００２０】
なお、図示はしないが、ビデオカメラ１００にはマイクおよびスピーカーが備えられており、音声についても同様にして処理される。そして、画像記録の際には画像データとともに音声データも収録されて、ＣＯＤＥＣ２０９によって画像データと音声データとが多重化されて音声付画像データとされる。
【００２１】
記録媒体２０３には、圧縮符号化された画像データおよび音声データが記録されるとともに、ＣＰＵ２１２の制御に必要な制御情報が記録される。電源２０４は、ＡＣ電源又はバッテリーであって、ビデオカメラ１００の各ブロックに必要な電力を供給する。
【００２２】
操作部２０５には、電源２０４のＯＮ／ＯＦＦを行う電源スイッチ、ユーザーからの操作を受けつける十字キー又はタッチパネルなどのポインティングデバイスが備えられている。操作部２０５の操作に応じた操作情報は入力Ｉ／Ｆ２０６を介してデータバス２１７に出力される。
【００２３】
ＲＯＭ２０７には、ビデオカメラ１００を制御するプログラムなどが格納されており、ビデオカメラ１００が起動されると、ＣＰＵ２１２はＲＯＭ２０７からプログラムをＲＡＭ２０８に展開して実行する。ＲＡＭ２０８はＣＰＵ２１２のワークエリアとしても用いられる。さらには、ＲＡＭ２０８には、通信制御部２１３によって受信した電子機器１０１のステータス情報が格納される。
【００２４】
なお、ＣＰＵ２１３のワークエリアとして、ＲＡＭ２０９の代わりに、図示しないハードディスク装置などの外部記録装置を用いるようにしてもよい。
【００２５】
ＣＯＤＥＣ２０９は、ＲＡＭ２０８および記録媒体２０３に記録された画像データ（映像データ）および音声データを再生する。そして、ＣＯＤＥＣ２０９は再生した映像データに応じた映像をＬＣＤパネル２１１に表示される。さらに、ＣＯＤＥＣ２０９は再生した音声データに応じた音声をスピーカー部（図示せず）から出力する。
【００２６】
ＣＰＵ２１２は出力Ｉ／Ｆ２１０を介して、ＧＵＩ（Ｇｒａｐｈｉｃａｌ  Ｕｓｅｒ  Ｉｎｔｅｒｆａｃｅ）などをＬＣＤパネル２１１に表示する。さらには、前述したように、ＬＣＤパネル２１１には、ＣＯＤＥＣ２０９によって再生した映像データに応じた映像が出力Ｉ／Ｆ２１０を介して表示される。
【００２７】
ＣＰＵ２１２は、ＲＯＭ２０７からＲＡＭ２０８にプログラムを展開して当該プログラムを実行する。通信制御部２１２は、無線モジュール２１５およびアンテナ２１５を介してビデオカメラ１００における撮影に関する設定情報を示すステータス情報の更新リクエストを受信する。さらに、通信制御部２１２は当該更新リクエストに対するレスポンス信号を送信する。また、通信制御部２１２は電子機器１０１に映像データおよび音声データを送信する。
【００２８】
なお、レスポンス信号を送信する際には、通信制御部２１３はＣＰＵ２１２の制御下で当該レスポンス信号をパケットデータに変換して、無線モジュール２１４によって所定の搬送波を変調して変調信号（無線信号）としてアンテナ２１５から送信する。
【００２９】
外部出力端子２１６は、ＳＤＩ又はＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）規格を満たし、撮像素子の出力であるデジタル信号を外部機器に出力するための端子である。図示の例では、外部出力端子２１６はＳＤＩ規格を満たすものとして説明するが、ＳＤＩ規格には限定されない。外部出力端子２１６は、モニタ１０４の外部出力端子（図示せず）とＳＤＩケーブル１０３によって接続され、モニタ１０４に映像データおよび音声データを出力する。
【００３０】
図３は、図１に示す電子機器の構成についてその一例を示すブロック図である。
【００３１】
図示の電子機器１０１は、電源３００、操作部３０１、入力Ｉ／Ｆ３０２、ＲＯＭ３０３、ＲＡＭ３０４、記録媒体３０５、ＣＯＤＥＣ３０６、出力Ｉ／Ｆ３０７、およびＬＣＤパネル（表示部）３０８を備えている。さらに、電子機器１０１は、無線モジュール３０９、アンテナ３１０、およびＣＰＵ３１１を有している。そして、これらブロックは、図示のようにデータバス３１２によって接続されている。
【００３２】
電源３００は、ＡＣ電源又はバッテリーであって、電子機器１０１の各ブロックに必要な電力を供給する。操作部３０１は、ユーザー操作を受け付けるための入力デバイスであり、例えば、タッチパネルなどのポインティングデバイスを有している。
【００３３】
なお、タッチパネルは、接触した位置を示す座標情報を出力する。そして、タッチパネルは電子機器１０１上で動作するアプリケーションの起動、操作、および電源のＯＦＦ／ＯＮの際にも用いられる。さらには、タッチパネル上の操作によって電源３００からの電力供給の開始および停止を行うことができる。操作部３０１によるユーザー操作は、入力Ｉ／Ｆ３０２を介してデータバス３１２に出力される。
【００３４】
ＲＯＭ３０３には、電子機器１０１を起動するプログラムが格納されており、操作部３０１の操作によって電源３００から電力が供給されると、ＣＰＵ３１１は当該プログラムをＲＡＭ３０４に展開する。ＲＡＭ３０４はＣＰＵ３１１のワークエリアとして用いられる。なお、ＣＰＵ３１１のワークエリアは、ＲＡＭ３０４に限られず、ハードディスク装置などの外部記録装置を用いるようにしてもよい。
【００３５】
記録媒体３０５には、外部機器から受信した映像データなどが格納される。さらには、記録媒体３０５には、電子機器１０１で実行されるアプリケーションプログラムデータが格納される。なお、以下の説明では、アプリケーションプログラムとしてＷｅｂブラウザーで実行されるＷｅｂアプリケーションについて説明するが、これに限定されない。
【００３６】
ＣＯＤＥＣ３０６は、ＲＡＭ３０４および記録媒体３０５に記録されている映像データなどを再生して、当該再生した映像データに応じた英塑像をＬＣＤパネル３０８に表示する。ＣＰＵ３１１は出力Ｉ／Ｆ３０７を介してＧＵＩなどＬＣＤパネル３０８に表示する。さらに、前述のように、ＬＣＤパネル３０８には、出力Ｉ／Ｆ３０７を介して映像が表示される。無線モジュール３０９は、ＣＰＵ３１１の制御下でアンテナ３１０を介して無線信号を送受信する。なお、図示の例では、無線モジュール３０９はＨＴＴＰ（Ｈｙｐｅｒｔｅｘｔ  Ｔｒａｎｓｆｅｒ  Ｐｒｏｔｏｃｏｌ）サーバーとして動作するビデオカメラ１００と無線通信を行う。そして、ビデオカメラ１００と無線通信する際には、電子機器１０１はＨＴＴＰクライアントとして動作する。
【００３７】
無線モジュール３０９はアンテナ３１０を介して無線信号を受信する。そして、ＣＰＵ３１１は当該無線信号を復調した後パケットデータに変換して復号し、ＲＡＭ３０４に備えられたバッファ領域に復号後のデータを保存する。
【００３８】
受信を完了すると、ＣＰＵ３１１はレスポンス信号をパケットデータに変換する。そして、無線モジュール３０９はＣＰＵ３１１の制御下で当該パケットデータによって所定の搬送波を変調して無線信号としてアンテナ３１０か送信する。なお、ＣＰＵ３１１は、ＲＯＭ３０３からＲＡＭ３０４にプログラムを展開して当該プログラムを実行して電子機器１０１を制御する。
【００３９】
図４は、図３に示す電子機器で行われる処理の一例を示すフローチャートである。なお、図示のフローチャートに係る処理は、ＣＰＵ３１１がＲＯＭ３０３に格納されたプログラムをＲＡＭ３０４に展開して実行することによって行われる。
【００４０】
また、図５は、図３に示す電子機器においてＬＣＤパネルに表示される画面の一例を説明するための図である。そして、図５（ａ）は第１の画面を示す図であり、図５（ｂ）は第２の画面を示す図である。
【００４１】
Ｓ４００では、ＣＰＵ３１１はＨＴＴＰサーバーとして動作するビデオカメラ（以下単にカメラとも呼ぶ）１００と無線接続が確立されたか否かを判定する。無線接続が確立されると、Ｓ４０１に進む。そうでない場合には、ＣＰＵ３１１は無線接続が確立されるまで待機する。
【００４２】
Ｓ４０１では、ＣＰＵ３１１は操作部３０１においてＷｅｂブラウザーを起動するためのユーザー操作が行われたか否かを判定する。なお、ユーザー操作の操作内容はＲＡＭ３０４に保持される。Ｗｅｂブラウザーの起動操作があると、Ｓ４０２に進み、そうでない場合には、ＣＰＵ３１１は起動操作があるまで待機する。
【００４３】
Ｓ４０２では、ＣＰＵ３１１はユーザー操作の操作内容に応じて、記録媒体３０５に格納されたＷｅｂブラウザーのアプリケーションプログラムを起動し、当該アプリケーションプログラムが実行されているか否かを判定する。実行されている場合には、Ｓ４０３に進み、そうでない場合には、ＣＰＵ３１１はアプリケーションプログラムの実行を待つ。
【００４４】
Ｓ４０３では、Ｗｅｂブラウザー実行中にユーザーによって操作部３０１における所定の操作があると、ＣＰＵ３１１はＨＴＴＰによる通信を開始する。ここでは、ＣＰＵ３１１はＨＴＴＰサーバーとして動作するビデオカメラ１００に送信するＨＴＴＰリクエスト情報をＲＡＭ３０４に格納する。例えば、ユーザーがＷｅｂブラウザーにおいてビデオカメラ１００のＩＰアドレスを入力する操作を行うと、ＣＰＵ３１１はＷｅｂブラウザーアプリケーションで生成されたＨＴＴＰリクエスト情報をビデオカメラ１００に送信する。
【００４５】
Ｓ４０４では、ＣＰＵ３１１はＨＴＴＰリクエスト情報のレスポンスとしてビデオカメラ１００から送られるレスポンスデータを受信したから否かを判定する。受信できた場合にはＳ４０５に進み、そうでない場合には、ＣＰＵ３１１は待機する。ここでは、レスポンスデータは記録媒体３０５に格納される。
【００４６】
レスポンスデータは、例えば、ＪＳＯＮ（Java Script Object Notation）フォーマットで定義され、ビデオカメラ１００による撮影に関する制御パラメータ情報を有している。ここでは、制御パラメータは、例えば、ホワイトバランス処理に係るパラメータであるが、これに限定されない。
【００４７】
Ｓ４０５では、ＣＰＵ３１１は、制御パラメータによって設定された設定値に基づいてレスポンスデータに応じたＧＵＩをＬＣＤパネル３０８に表示する。当該ＧＵＩにおいては各種制御項目および制御項目に属する設定値が表示される。なお、ＣＰＵ３１１は定期的にビデオカメラ１００にＨＴＴＰリクエスト情報を送信して、レスポンスデータを受け、当該レスポンスデータに基づいてＬＣＤパネル３０８に表示される画面を更新する。
【００４８】
ＪＳＯＮフォーマットのレスポンスデータは、例えば、［“ｗｂｍ”：“Ｋｅｌｖｉｎ”，“ｗｂｖ”：“１００００Ｋ”，・・・］である。ここでは、ビデオカメラ１００の現在のホワイトバランスモードを示す“ｗｂｍ”がＫｅｌｖｉｎであることを示している。また、ビデオカメラ１００の現在のホワイトバランスモードＫｅｌｖｉｎで設定された色温度設定値“ｗｂｖ”は１００００Ｋであることを示している。
【００４９】
図５（ａ）を参照すると、ＬＣＤパネル３０８に表示された制御画面（以下単に画面と呼ぶ）５００には、第１の表示領域５１２、第２の表示領域５０６、第３の表示領域５１０、およびライブビュー（Ｌｉｖｅ  Ｖｉｅｗ）ボタン５１３が表示される。
【００５０】
図示の例では、第２の表示領域５０６には、ホワイトバランス設定値一覧が表示されている。当該ホワイトバランス設定一蘭には、現在ビデオカメラ１００に設定されたホワイトバランスモード５０１が表示されるとともに、ホワイトバランス設定値５０２が表示される。さらに、ホワイトバランス設定値一覧には、ビデオカメラ１００で現在設定可能なホワイトバランスのモード一覧５０３と当該モード一覧５０３に対応する設定値の一覧５０４が表示される。
【００５１】
さらに、第２の表示領域５０６において、ホワイトバランス設定一覧の下側には、ホワイトバランス設定値一覧を表示するためのホワイトバランス（Ｗｈｉｔｅ  Ｂａｌａｎｃｅ）タブ５０５が表示される。図示の例では、操作部２０５によってホワイトバランスタブ５０５が操作されて、ホワイトバランス設定値一覧が表示された状態が示されている。
【００５２】
さらに、ホワイトバランス設定一覧の下側には、露出（Ｅｘｐｏｓｕｒｅ）タブ５０７、焦点（Ｆｏｃｕｓ）タブ５０８、およびズーム（Ｚｏｏｍ）タブ５０９が表示される。露出タブ５０７は第２の表示領域５０６に露出に関する設定値一覧を表示する際に用いられる。同様に、焦点タブ５０８は第２の表示領域５０６に焦点に関する設定値一覧を表示す際に用いられる。そして、ズームタブ５０９は第２の表示領域５０６にズームに関する制御画面を表示する際に用いられる。つまり、ホワイトバランスタブ５０５、露出タブ５０７、焦点タブ５０８、およびズームタブ５０９の操作に応じて、それぞれ第２の表示領域５０６にはホワイトバランス、露出、焦点、およびズームに係る設定値が表示されることになる。
【００５３】
なお、ホワイトバランスタブ５０５、露出タブ５０７、焦点タブ５０８、およびズームタブ５０９は一例であり、他の項目を表示するためのタブを設けるようにしてもよい。
【００５４】
第３の表示領域５１０には、第２の表示領域５０６に表示された設定値一覧において設定された設定値が表示される。タブ５０５および５０６〜５０９のいずれかを操作した結果として第２の表示領域５０６に表示された設定値一覧において設定値が変更される度、第３の表示領域５１０に表示される設定値が更新される。
【００５５】
なお、第１の表示領域５１２には後述するように、ライブビュー画像が表示される。
【００５６】
再び図４を参照して、Ｓ４０６では、ＣＰＵ３１１はビデオカメラ１００から色温度設定値（つまり、ホワイトバランス設定値）の変更通知（設定変更情報）を受信したか否かを判定する。変更通知を受信した場合にはＳ４０７に進み、そうでない場合には、ＣＰＵ３１１は待機する。
【００５７】
Ｓ４０７では、ＣＰＵ３１１は変更通知で示される色温度設定値でホワイトバランス設定値一覧を更新する。変更通知は色温度をＪＳＯＮフォーマットデータであり、ここでは、変更通知において色温度設定値を１００００Ｋから１６２００Ｋに変更したとする。この場合、ＣＰＵ３１１は変更通知［“ｗｂｍ”：“Ｋｅｌｖｉｎ”，“ｗｂｖ”：“１６２００Ｋ”，・・・］を受信して当該変更通知をＲＡＭ３０４に保存する。そして、ＣＰＵ３１１は変更通知で示される色温度設定値をワイトバランス設定値として表示する。この結果、ＬＣＤパネル３０８には、図５（ｂ）に示すように、第２の表示領域においてホワイトバランス設定値５２０が表示されるとともに、第３の表示領域５１０においてホワイトバランス設定値５２２が表示されることになる。
【００５８】
Ｓ４０８では、ＣＰＵ３１１は色温度設定値が変更された旨をユーザーに通知するため、ホワイトバランス設定値５２０および５２２を強調表示する（図５（ｂ）参照）。加えて、ＣＰＵ３１１はホワイトバランス設定に係るホワイトバランスタブ５０５を強調表示してホワイトバランスタブ５２１とする。
【００５９】
なお、上述の例では、色温度設定値の変更に応じて強調表示を行うとしたが、該当する項目を点滅表示するようにしてもよく、さらには該当する項目の表示色を変更するようにしてもよい。いずれにしても変更通知によって変更される項目を他の項目と区別して表示するようにすればよい。
【００６０】
Ｓ４０９では、ＣＰＵ３１１は第１の表示領域５１２にライブビュー画像が表示されているか否かを判定する。ライブビュー画像が表示されていない場合にはＳ４１０に進み、表示されている場合にはライブビュー画像の表示を継続してＳ４０６に戻る。
【００６１】
なお、ここでは、ライブビュー画像としてＪＰＥＧ（Ｊｏｉｎｔ  Ｐｈｏｔｏｇｒａｐｈｉｃ  Ｅｘｐｅｒｔｓ  Ｇｒｏｕｐ）画像が用いられるが、ＪＰＥＧ画像に限定されない。また、ＣＰＵ３１１は、ビデオカメラ１００で得られた映像をＨＴＴＰのリクエストに対するレスポンスとして受信して、ライブビュー画像を得る。
【００６２】
ユーザーは第２の表示領域５１２にライブビュー画像を表示するか否かを選択することができる。この場合、ユーザーはライブビューボタン５１３を操作してライブビュー画像の表示および非表示を切り替える。
【００６３】
図５（ａ）に示す状態では、ライブビューボタン５１３が操作され、第２の表示領域５１２にライブビュー画像が表示される。一方、図５（ｂ）に示す状態では、ライブビューボタン５１３が操作されておらず、第２の表示領域５１２にライブビュー画像が表示されない。
【００６４】
ＣＰＵ３１１はライブビューボタン５１３の操作状態をＲＡＭ３０４に記録する。そして、ＣＰＵ３１１はＲＡＭ３０４に記録されたライブビューボタン５１３の操作状態を確認して、ライブビューボタン５１３が操作された状態であればＳ４０６に戻る。ライブビューボタン５１３が操作されていない状態であれば、ＣＰＵ３１１はＳ４１０に進む。
【００６５】
Ｓ４１０では、ＣＰＵ３１１は第２の表示領域５１２に色温度設定値（ホワイトバランス設定値）が変更された旨を示す文言を強調して表示する。ここでは、図５（ｂ）に示すように、色温度が１００００Ｋから１６２００Ｋに変更された旨を示す文言５２３が第２の表示領域５１２に強調表示される。
【００６６】
なお、強調表示の際には、Ｗｅｂアプリケーションのダイアログ表示機能によってメッセージダイアログを表示して色温度の変更を強調するが、強調表示はダイアログ表示に限定されない。
【００６７】
Ｓ４１１では、ＣＰＵ３１１はユーザーによって操作部３０１が操作されてＷｅｂブラウザーの終了ボタンが選択されたか否かを判定する。終了ボタンが選択された場合には、ＣＰＵ３１１は電子機器処理を終了する。一方、終了ボタンが選択されない場合には、ＣＰＵ３１１はＳ４０６に戻る。
【００６８】
このように、本発明の第１の実施形態では、ビデオカメラ１００において、ホワイトバランス設定値などの撮影設定項目が変更された際、電子機器２００における撮影設定項目（撮影設定値）の表示を変更する。さらに、ライブビュー画像が表示されていない状態では、ライブビュー画像が表示される領域に撮影設定項目の変更を示す注意を表示して、ユーザーに変更を知らせる。これによって、ユーザーは確実にビデオカメラの撮影設定項目の変更を知ることができる。
【００６９】
なお、図５（ａ）および図５（ｂ）に示すように、ライブビュー画像を表示する設定とされているか否かに拘わらず、制御画面における第１の表示領域５１２および第２の表示領域５０６のレイアウトは変更されない。
【００７０】
［第２の実施形態］
続いて、本発明の第２の実施形態による表示制御装置の一例について説明する。なお、第２の実施形態に係る電子機器およびビデオカメラの構成は、図３に示す電子機器および図２に示すビデオカメラと同様である。また、第２の実施形態に係る電子機器２００は図１に示すように、ビデオカメラ１００に接続され、ビデオカメラ１００にはモニタ１０４が接続される。
【００７１】
図６は、本発明の第２の実施形態においてビデオカメラ１００に接続されたモニタ１０４の表示画面についてその一例を説明するための図である。そして、そして、図６（ａ）は第１の画面を示す図であり、図６（ｂ）は第２の画面を示す図である。
【００７２】
図６（ａ）においては、モニタ１０４には、ビデオカメラ１００で得られた映像６００が表示され、さらに、映像６００の下側には映像信号に重畳されたＯＳＤ（Ｏｎ  Ｓｃｒｅｅｎ  Ｄｉｓｐｌａｙ）信号に応じた項目が表示される。
【００７３】
ＯＳＤ信号を映像信号に重畳する際には、操作部３０１の操作によってＯＳＤ信号を「入」が設定されるとＣＰＵ３１１はビデオカメラ１００に対してＯＳＤ信号の重畳を指示する。これによって、ＣＰＵ２１２は映像信号にＯＳＤ信号を重畳してモニタ１０４に出力する。
【００７４】
図６（ａ）に示す例では、ＯＳＤ信号に応じてモニタ１０４にホワイトバランス（ＷＢ）６０１、ＷＢ設定モード６０２、および色温度設定値６０３などが表示される。ＷＢ６０１はビデオカメラ１００で設定可能な項目であるホワイトバランスを示す。ＷＢ設定モードは６０２は、ここでは色温度の表示としてＫｅｌｖｉｎが選択されていることを示す。色温度設定値６０３は、ここでは色温度が１６２００Ｋ（Ｋｅｌｖｉｎ）であることを示している。
【００７５】
図７は、本発明の第２の実施形態においてビデオカメラで行われる処理の一例を示すフローチャートである。
【００７６】
Ｓ７００では、ＣＰＵ２１２はＯＳＤ信号が重畳された映像信号をモニタ１０４にする。Ｓ７０１では、ＣＰＵ２１２は操作部２０５の操作があったか否かを判定する。操作があった場合にはＳ７０２に進み、そうでない場合には、ＣＰＵ２１２は待機する。
【００７７】
Ｓ７０２では、ＣＰＵ２１２はビデオカメラ１００においてホワイトバランスの色温度設定値が変更されたか否かを判定する。色温度設定値が変更された場合にはＳ７０３に進み、そうでない場合にはＳ７０１に戻る。
【００７８】
Ｓ７０３では、ＣＰＵ２１２はＯＳＤ信号に応じた項目を表示する際、色温度設定値６０３を強調表示して色温度設定値６１０とする（図６（ｂ）参照）。そして、ＣＰＵ２１２はＳ７０１に戻る。
【００７９】
なお、図６（ａ）および図６（ｂ）においては映像６００の周囲に各種設定項目が表示されているが、この表示は一例であり、別の表示であってもよい。
【００８０】
上述の実施の形態では、撮影設定項目の一例としてホワイトバランスを例に挙げて説明したが、ホワイトバランスに限定されず、他の撮影設定項目においても、変更された際には同様にして強調表示などが行われる。
【００８１】
このように、本発明の第２の実施形態では、撮影設定項目の設定が変更された際には、モニタ１０４に表示される撮影設定項目を強調表示するようにしたので、ユーザーは撮影項目の変更を容易に知ることができる。
【００８２】
なお、ＣＰＵ３１１又は２１２が行うものとして説明した上述の各種制御は、１つのハードウェアが行ってもよいし、複数のハードウェアが処理を分担することで、装置全体の制御を行ってもよい。
【００８３】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【００８４】
また、上述した実施形態においては、本発明をビデオカメラおよび端末装置などの電子機器に適用した場合を例にして説明したが、これはこの例に限定されず、カメラを遠隔操作する通信装置であれば適用可能である。すなわち、本発明はパーソナルコンピュータやＰＤＡ、携帯電話端末、タブレット端末、スマートフォン、ディスプレイを備える家電装置や車載装置などに適用可能である。
【００８５】
［その他の実施形態］
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８６】
１００  ビデオカメラ
２０１  撮像素子
２０２  カメラ信号処理部
２０５，３０１  操作部
２０９，３０６  ＣＯＤＥＣ
２１１，３０８  ＬＣＤパネル
２１２，３１１  ＣＰＵ
２１４，３０９  無線モジュール
【図１】
2018182563.tif 000003
【図２】
2018182563.tif 000004
【図３】
2018182563.tif 000005
【図４】
2018182563.tif 000006
【図５】
2018182563.tif 000007
【図６】
2018182563.tif 000008
【図７】
2018182563.tif 000009